(57)【要約】【課題】既に収録済のＡＶＣＨＤコンテンツをＤＶＢ−ＡＳＩ等のＩ／Ｆを用いて伝送する際、従来よりも高速に伝送を行うための伝送システムを提供する。【解決手段】送信装置１０１は、情報をパケット化した主情報パケットに対して、タイムスタンプに相当する情報を付加情報として付与したデータ列を送信する送信装置であって、データ列を主情報パケットおよび付加情報に分離する付加情報分離部１１２と、分離された付加情報をパケット化して付加情報パケットを生成する付加情報パケット化部１１３と、主情報パケットおよび付加情報パケットを送信する送信部１１４と、を備えることにより、収録中または収録後の映像・音声データを高速に伝送することが可能となる。【選択図】図１
2011035578.tif 000002
【特許請求の範囲】
【請求項１】
情報をパケット化した主情報パケットに対して、タイムスタンプに相当する情報を付加情報として付与したデータ列を送信する送信装置であって、
前記データ列を前記主情報パケットおよび前記付加情報に分離する付加情報分離部と、
分離された前記付加情報をパケット化して付加情報パケットを生成する付加情報パケット化部と、
前記主情報パケットおよび前記付加情報パケットを送信する送信部と、
を備える送信装置。
【請求項２】
映像・音声データを入力する入力部と、
前記入力部で入力した前記映像・音声データをエンコードして前記データ列を生成するエンコード部と、
をさらに備える請求項１に記載の送信装置。
【請求項３】
前記送信部は、前記エンコード部で生成したデータ列を、伝送路の伝送帯域に応じてベストエフォートで送信する
請求項２に記載の送信装置。
【請求項４】
前記送信部は、前記エンコード部で生成したデータ列を、あらかじめ設定しておいた伝送速度で送信する
請求項２に記載の送信装置。
【請求項５】
情報をパケット化した主情報パケットに対して、タイムスタンプに相当する情報を付加情報として付与したデータ列を受信する受信装置であって、
前記主情報パケットおよび前記付加情報パケットを受信する受信部と、
前記受信部で受信したパケットから、前記付加情報パケットを分離するパケット分離部と、
前記付加情報パケットから前記付加情報を抽出する付加情報抽出部と、
前記主情報パケットに前記付加情報を付与して前記データ列を再構成するデータ列再構成部と、
を備える受信装置。
【請求項６】
前記主情報パケットをデコードするデコード部と、
前記デコード部で伸長された映像データをリアルタイムで出力するモニタ部と、
をさらに備える請求項５に記載の受信装置。
【請求項７】
情報をパケット化した主情報パケットに対して、タイムスタンプに相当する情報を付加情報として付与したデータ列を、伝送する送信装置および受信装置を備える伝送システムであって、
前記送信装置は、
前記データ列を前記主情報パケットおよび前記付加情報に分離する付加情報分離部と、
分離された前記付加情報をパケット化して付加情報パケットを生成する付加情報パケット化部と、
前記主情報パケットおよび前記付加情報パケットを送信する送信部と、
を備え、
前記受信装置は、
前記主情報パケットおよび前記付加情報パケットを受信する受信部と、
前記受信部で入力したパケットから、前記付加情報パケットを分離するパケット分離部と、
前記付加情報パケットから前記付加情報を抽出する付加情報抽出部と、
前記主情報パケットに前記付加情報を付与して前記データ列を再構成するデータ列再構成部と、
を備える伝送システム。
【発明の詳細な説明】
【技術分野】
【０００１】
本発明は、放送・業務用ビデオカメラ等のような高品質の映像・音声データを記録する装置に関し、特に、映像・音声データを伝送路経由で遠隔地に伝送する放送・業務用ビデオカメラ等の送信装置、受信装置及び伝送システムに関する。
【背景技術】
【０００２】
近年のデジタル放送の普及に伴い、ＤＶＢ−ＡＳＩ（Ｄｉｇｉｔａｌ  Ｖｉｄｅｏ  Ｂｒｏａｄｃａｓｔｉｎｇ  Ａｓｙｎｃｈｒｏｎｏｕｓ  Ｓｅｒｉａｌ  Ｉｎｔｅｒｆａｃｅ：ＥＮ５００８３−９）のＩ／Ｆを経由して、ＭＰＥＧ２−ＴＳ（Ｍｏｖｉｎｇ  Ｐｉｃｔｕｒｅ  Ｅｘｐｅｒｔ  Ｇｒｏｕｐ２  Ｔｒａｎｓｐｏｒｔ  Ｓｔｒｅａｍ：ＩＳＯ／ＩＥＣ１３８１８−１）の形式で多重化された映像・音声データを遠隔地に伝送するシステムが利用されている。ＤＶＢ−ＡＳＩは、ＭＰＥＧ２−ＴＳパケットの伝送を行うためのＩ／Ｆ規格であり、主に放送局システムにおけるライブ中継等で用いられている。また、近年では、ＭＰＥＧ２−ＴＳの多重化方式を利用した低ビットレートかつ高画質の映像コンテンツとして、ＡＶＣＨＤコンテンツが普及してきている。ＡＶＣＨＤコンテンツは民生ビデオムービー等で広く利用されており、その低ビットレートかつ高画質という特徴に着目され、最近では業務用でも利用されるようになってきている。
【０００３】
ＡＶＣＨＤコンテンツのストリームファイルは、ＭＰＥＧ２−ＴＳパケット（１８８Ｂｙｔｅ）に対してＡＴＣ（Ａｒｉｖａｌ  Ｔｉｍｅ  Ｃｌｏｃｋ）ヘッダ（４Ｂｙｔｅ）を付加したソースパケット（１９２Ｂｙｔｅ）の集合体で構成されている。ＡＴＣヘッダには、ＭＰＥＧ２−ＴＳパケットを復号（再生）する際にデコーダに入力するべきタイミングを明示するタイムスタンプであるＡＴＳ（Ａｒｒｉｖａｌ  Ｔｉｍｅ  Ｓｔａｍｐ）が格納されている（ＡＶＣＨＤコンテンツの詳細はＡＶＣＨＤ規格書を参照のこと）。
【０００４】
通常、ＡＶＣＨＤのようなＭＰＥＧ２−ＴＳパケットに対してＡＴＳのようなタイムスタンプが付加されているコンテンツを、ＤＶＢ−ＡＳＩ等のＩ／Ｆ経由で伝送する際、ＡＴＣヘッダを除去してＭＰＥＧ２−ＴＳパケットのみを伝送する必要がある。この時、送信側でＡＴＳ値のタイミングに合わせてＭＰＥＧ２−ＴＳパケットを伝送路上に出力し、受信側ではＭＰＥＧ２−ＴＳパケットを入力したタイミングからＡＴＳを生成してＭＰＥＧ２−ＴＳパケットに付加することで、受信側でＡＶＣＨＤコンテンツを復元する。そのような場合の制御方法については特許文献１等に記載されている。
【先行技術文献】
【特許文献】
【０００５】
【特許文献１】特開２００３−６９９５３号公報
【発明の概要】
【発明が解決しようとする課題】
【０００６】
上述した技術を用いた場合、ＤＶＢ−ＡＳＩ等のＩ／Ｆを経由してＡＶＣＨＤコンテンツを遠隔地に伝送することが可能となる。しかし、この場合、受信側でＡＴＣヘッダを復元するため、１倍速での伝送を余儀なくされる。よって、収録済のＡＶＣＨＤコンテンツにおいても１倍速での伝送に限られてしまい、伝送路の帯域が十分余っている場合においても高速伝送が実現できない。
【０００７】
本発明は、ＤＶＢ−ＡＳＩ等のＩ／Ｆを用いて、ＡＶＣＨＤコンテンツのようなＭＰＥＧ２−ＴＳの映像・音声データを遠隔地に高速伝送することが可能となる送信装置、受信装置及び伝送システムを提供することを目的とする。
【課題を解決するための手段】
【０００８】
本発明の送信装置は、情報をパケット化した主情報パケットに対して、タイムスタンプに相当する情報を付加情報として付与したデータ列を送信する送信装置であって、前記データ列を前記主情報パケットおよび前記付加情報に分離する付加情報分離部と、分離された前記付加情報をパケット化して付加情報パケットを生成する付加情報パケット化部と、前記主情報パケットおよび前記付加情報パケットを送信する送信部と、を備える。
【発明の効果】
【０００９】
本発明の送信装置、受信装置及び伝送システムによれば、収録中または収録後の映像・音声データを高速に伝送することが可能となる。
【図面の簡単な説明】
【００１０】
【図１】実施の形態１における伝送システムのブロック図
【図２】ＡＶＣＨＤストリームおよびＤＶＢ−ＡＳＩ伝送を説明するための図
【図３】ＡＶＣＨＤストリームのデータ列から付加情報パケットを抽出する時の図
【図４】伝送路に流す各パケットの図
【図５】実施の形態２および実施の形態３における伝送システムのブロック図
【図６】実施の形態３における伝送システムの一部のブロック図
【図７】記録処理・伝送処理を開始するタイミングによる映像・音声データ列の流れの違いを示す図
【図８】伝送速度の倍速指定時に伝送路に流す各パケットの図
【図９】伝送速度のビットレート指定時に伝送路に流す各パケットの図
【図１０】実施の形態５における伝送システムのブロック図
【図１１】送信部の詳細ブロック図
【図１２】受信部の詳細ブロック図
【発明を実施するための形態】
【００１１】
まず、ＡＶＣＨＤストリームについて図２を用いて説明する。
【００１２】
ＡＶＣＨＤストリームは、ビデオ圧縮としてＨ．２６４、オーディオ圧縮としてＡＣ３またはＬＰＣＭを採用し、ＭＰＥＧ２−ＴＳ（Ｍｏｖｉｎｇ  Ｐｉｃｔｕｒｅ  Ｅｘｐｅｒｔ  Ｇｒｏｕｐ２  Ｔｒａｎｓｐｏｒｔ  Ｓｔｒｅａｍ：ＩＳＯ／ＩＥＣ１３８１８−１）の形式で映像・音声の多重化を行っている。一般的に、ＭＰＥＧ２−ＴＳパケットのパケットサイズは１８８Ｂｙｔｅだが、ＡＶＣＨＤストリームは、図２に示すように、この１８８ＢｙｔｅのＭＰＥＧ２−ＴＳパケットに対し、４ＢｙｔｅのＡＴＣ（Ａｒｉｖａｌ  Ｔｉｍｅ  Ｃｌｏｃｋ）ヘッダを付加したソースパケット（１９２Ｂｙｔｅ）の集合体から構成されている。ＡＴＣヘッダにはＡＴＳ（Ａｒｒｉｖａｌ  Ｔｉｍｅ  Ｓｔａｍｐ）と呼ばれる２７ＭＨｚクロックのタイムスタンプが格納されており、ソースパケットを復号（再生）する際にはこのタイムスタンプに準じたタイミングでデコーダにデータを入力する必要がある。つまり、ＡＶＣＨＤストリームを、ＭＰＥＧ２−ＴＳパケットが流れる伝送路を用いて遠隔地に伝送を行う場合、送信側ではＭＰＥＧ２−ＴＳパケットをＡＴＳ値に準じたタイミングで伝送路上に送出し、受信側では、伝送路から流れてきたＭＰＥＧ２−ＴＳパケットを再びＡＶＣＨＤストリーム、すなわちソースパケットの形式に復元するため、伝送路から入力したタイミングに準じたＡＴＳ値を算出してＡＴＣヘッダを生成し、該当するＭＰＥＧ２−ＴＳパケットに付加する必要がある。なお、ＡＶＣＨＤストリームの最大ビットレートは２４Ｍｂｐｓと規定されている。
【００１３】
一方、ＤＶＢ−ＡＳＩ（Ｄｉｇｉｔａｌ  Ｖｉｄｅｏ  Ｂｒｏａｄｃａｓｔｉｎｇ  Ａｓｙｎｃｈｒｏｎｏｕｓ  Ｓｅｒｉａｌ  Ｉｎｔｅｒｆａｃｅ：ＥＮ５００８３−９）とは、ＭＰＥＧ２−ＴＳパケットを伝送するためのＩ／Ｆ規格であり、主に放送局システムにおけるライブ中継等で用いられている。ライブ中継ではこのＤＶＢ／ＡＳＩのＩ／Ｆを経由して電波（マイクロ波）を用いて遠隔地にデータ伝送を実現することが多い。
【００１４】
ＡＶＣＨＤストリームをＤＶＢ−ＡＳＩを経由して伝送する際の動作について、以降の実施の形態で説明する。
【００１５】
（実施の形態１）
図１は、実施の形態１に係る伝送システムの構成を示すブロック図である。
【００１６】
本実施の形態１の伝送システムでは、映像・音声データを送信装置１０１から伝送路（電波等）を経由して受信装置１０２に伝送する。
【００１７】
まず、送信装置１０１の構成について説明する。
【００１８】
送信装置１０１は、第１の記録媒体１１１と、付加情報分離部１１２と、付加情報パケット化部１１３と、送信部１１４とを備える。
【００１９】
第１の記録媒体１１１は、映像・音声コンテンツのデータ列が記録されている。ここで第１の記録媒体１１１は、ＨＤＤ、半導体メモリ、光ディスクなどのランダムアクセス可能な記録媒体であればその種類は問わない。
【００２０】
付加情報分離部１１２は、第１の記録媒体１１１に記録されている映像・音声コンテンツのデータ列を、主情報パケットおよび付加情報に分離する。
【００２１】
付加情報パケット化部１１３は、付加情報分離部１１２によって分離された付加情報を、付加情報パケットとして生成する。
【００２２】
送信部１１４は、付加情報分離部１１２から出力される主情報パケットおよび付加情報パケット化部１１３から出力される付加情報パケットを、伝送路（電波等）を経由して受信装置１０２に向けて伝送する。なお、送信装置１０１の動作の詳細については後述する。
【００２３】
次に、受信装置１０２の構成について説明する。
【００２４】
受信装置１０２は、受信部１２１と、パケット分離部１２２と、付加情報抽出部１２３と、データ列再構成部１２４と、第２の記録媒体１２５とを備える。
【００２５】
受信部１２１は、送信装置１０１から伝送されてくる主情報パケットおよび付加情報パケットを受信する。
【００２６】
パケット分離部１２２は、受信したパケットを主情報パケットおよび付加情報パケットに分離する。
【００２７】
付加情報抽出部１２３は、パケット分離部１２２から出力される付加情報パケットを基に付加情報を抽出する。
【００２８】
データ列再構成部１２４は、パケット分離部１２２から出力される主情報パケット及び付加情報抽出部１２３から出力される付加情報から、映像・音声コンテンツのデータ列を再構成し、第２の記録媒体１２５に記録する。ここで、第２の記録媒体１２５は、ＨＤＤ、半導体メモリ（ＳＤカード等）、光ディスク（ＤＶＤ等）、などのランダムアクセス可能な記録媒体であればその種類は問わない。なお、受信装置１０２の動作の詳細については後述する。
【００２９】
上述したような制御の流れで映像・音声データの伝送を行うが、ここで、映像・音声のデータ列をＡＶＣＨＤストリームとした場合、主情報パケットはＭＰＥＧ２−ＴＳパケット、付加情報はＡＴＣヘッダ（ＡＴＳ）に相当する。
【００３０】
以降の説明においては、映像・音声のデータ列はＡＶＣＨＤストリームであるものとして説明する。
【００３１】
次に、送信装置１０１の動作の詳細について説明する。
【００３２】
映像・音声データ列（ＡＶＣＨＤストリーム）が、第１の記録媒体１１１にあらかじめ記録されているものとし、第１の記録媒体１１１から映像・音声データ列（ＡＶＣＨＤストリーム）が読み出され、付加情報分離部１１２に入力される。
【００３３】
付加情報分離部１１２では、映像・音声データ列（ＡＶＣＨＤストリーム）を、主情報パケット（ＭＰＥＧ２−ＴＳパケット）および付加情報（ＡＴＣヘッダ）に分離する。すなわち１９２Ｂｙｔｅのソースパケットは、１８８ＢｙｔｅのＭＰＥＧ２−ＴＳパケットと４ＢｙｔｅのＡＴＣヘッダに分離される。付加情報分離部１１２で分離した付加情報（ＡＴＣヘッダ）は付加情報パケット化部１１３に入力される。
【００３４】
付加情報パケット化部１１３では、図３に示すように、複数の付加情報（ＡＴＣヘッダ）をまとめて１つの独立したＴＳパケットを付加情報パケットとして生成する。ＴＳパケットは、先頭にＴＳヘッダを格納する必要があるため、付加情報パケットの先頭にはＴＳヘッダを格納するような構成になる。
【００３５】
通常、ＴＳヘッダは４Ｂｙｔｅで構成されるが、例えばＴＳヘッダの後の４Ｂｙｔｅ領域に、このパケット内に格納しているＡＴＣヘッダの個数を格納しておくことにより、ＡＴＣヘッダの数を容易に把握することが可能となる。このような構成とした場合、１つの付加情報パケット内に最大４５個のＡＴＣヘッダが格納可能となる。なお、ＡＴＣヘッダの格納数が４５個未満となる場合には、付加情報パケットの１８８Ｂｙｔｅに満たない残領域にはＦｉｌｌｅｒデータとして例えばＮＵＬＬデータ等を格納しておけばよい。また、ＴＳヘッダ内にＰＩＤ（Ｐａｃｋｅｔ  Ｉｄｅｎｔｉｆｉｅｒ）が存在するが、この値は送信装置１０１および受信装置１０２で互いに識別できる値を設定すればよく、その値は任意でよい。なお、ＴＳヘッダの構成に関しては、ＩＳＯ／ＩＥＣ１３８１８−１に記載されている。
【００３６】
なお、本実施の形態１ではＴＳヘッダの直後にＡＴＣヘッダの数を４Ｂｙｔｅ領域に格納し、残領域にＡＴＣヘッダを格納するような構成としたが、ＡＴＣヘッダの数を示す領域を確保する必要はなく、また、付加情報パケット内には他の任意の情報を格納してもよい。つまり、付加情報パケット内にＴＳヘッダが存在し、ＡＴＣヘッダを１つ以上格納できるような構成であれば、その内部構成は任意でよい。
【００３７】
次に、付加情報分離部１１２から出力される主情報パケット（ＭＰＥＧ２−ＴＳパケット）および付加情報パケット化部１１３から出力される付加情報パケットは、送信部１１４にてＤＶＢ−ＡＳＩ等のＩ／Ｆを経由して伝送路（電波）に出力される。
【００３８】
この時の送信部１１４の動作の詳細について、図４および図１１を用いて説明する。送信部１１４は、入力した主情報パケット（ＭＰＥＧ２−ＴＳパケット）および付加情報パケットを、ＤＶＢ−ＡＳＩのＩ／Ｆ経由で、ＤＶＢ−ＡＳＩストリームに変換してＤＶＢ−ＡＳＩ伝送路１１０１に伝送し、ＦＰＵ（Ｆｉｅｌｄ  Ｐｉｃｋｕｐ  Ｕｎｉｔ）等を用いて電波伝送路１１０２に伝送する。
【００３９】
ここで、まずは従来のＤＶＢ−ＡＳＩ伝送方式について説明する。
【００４０】
従来のＤＶＢ−ＡＳＩ伝送であれば、主情報パケット（ＭＰＥＧ２−ＴＳパケット）を出力するタイミングは、図２に示すように、ＡＴＣヘッダ（ＡＴＳ）の値に準じたタイミングとなる。ＤＶＢ−ＡＳＩ伝送路１１０１の最大伝送レートとしては２７０Ｍｂｐｓであり、データ送出のクロックも２７０ＭＨｚ／Ｂｉｔで動作する。すなわち、伝送するストリームのビットレートが２４Ｍｂｐｓだった場合、２７０Ｍｂｐｓに対する余剰帯域分にはＫ２８．５と呼ばれるＮＵＬＬデータで埋めるように制御する。
【００４１】
上記の従来のＤＶＢ−ＡＳＩ伝送方式に対し、本実施の形態１では、ＡＴＳのタイミングではなく、ＤＶＢ−ＡＳＩ伝送路１１０１および電波伝送路１１０２の帯域が許す限りベストエフォートで伝送を行うようにする。
【００４２】
図４に示すように、ＤＶＢ−ＡＳＩ伝送路１１０１に伝送するデータとしては、最初に付加情報パケットを送信し、その後に、直前に送信した付加情報パケット内に格納したＡＴＣヘッダに対応する主情報パケット（ＭＰＥＧ２−ＴＳパケット）を順番に送信する。すなわち、送信部１１４は、ＤＶＢ−ＡＳＩ伝送路１１０１および電波伝送路１１０２の帯域が許す限り、できるだけ高速に伝送を行うようにする。この時、送信部１１４に送信すべきＴＳパケットが供給できない時のみＫ２８．５（ＮＵＬＬデータ）を送出するようにする。
【００４３】
上述した動作により、ＤＶＢ−ＡＳＩ伝送路１１０１および電波伝送路１１０２のビットレートが、伝送するストリームのビットレートに比べて大きい時には、従来の伝送方式よりも高速に伝送を行うことが可能となる。
【００４４】
次に、受信装置１０２側の動作の詳細について説明する。
【００４５】
受信部１２１で入力した主情報パケット（ＭＰＥＧ２−ＴＳパケット）および付加情報パケットは、パケット分離部１２２に入力される。
【００４６】
この時、受信部１２１は、図１２に示すように、電波伝送路１１０２から受信したデータをＤＶＢ−ＡＳＩ伝送路１２０１を経由してＤＶＢ―ＡＳＩのＩ／Ｆ経由で主情報パケット（ＭＰＥＧ２−ＴＳパケット）および付加情報パケットを出力する。
【００４７】
パケット分離部１２２は、受信部１２１から出力される主情報パケット（ＭＰＥＧ２−ＴＳパケット）および付加情報パケットを分離する。その際、パケット分離部１２２は、それぞれのパケットのＴＳヘッダ内のＰＩＤの値を参照し、ＡＶＣＨＤ規格で定義されているＰＩＤであれば主情報パケット（ＭＰＥＧ２−ＴＳパケット）と判断し、送信装置１０１および受信装置１０２との間であらかじめ規定しておいた付加情報パケット用のＰＩＤであれば、付加情報パケットと判断して処理する。この時、パケット分離部１２２は、不明なＰＩＤのＴＳパケットだった場合は無視するようにすればよい。
【００４８】
パケット分離部１２２から出力される付加情報パケットは、付加情報抽出部１２３に入力される。
【００４９】
付加情報抽出部１２３では、付加情報パケット内に格納されている複数のＡＴＣヘッダを抽出し、付加情報としてデータ列再構成部１２４に出力する。
【００５０】
データ列再構成部１２４は、パケット分離部１２２から出力される主情報パケット（ＭＰＥＧ２−ＴＳパケット）および、付加情報抽出部１２３から出力される付加情報（ＡＴＣヘッダ）が入力され、映像・音声データ列（ＡＶＣＨＤストリーム）を再構成する。この時、データ列再構成部１２４は、図示しないメモリ領域に付加情報（ＡＴＣヘッダ）を格納しておき、順に入力される主情報パケット（ＭＰＥＧ２−ＴＳパケット）に対して、図示しないメモリ領域に格納した付加情報（ＡＴＣヘッダ）を順次付加すればよい。なお、付加情報（ＡＴＣヘッダ）および主情報パケット（ＭＰＥＧ２−ＴＳパケット）から、映像・音声データ列（ＡＶＣＨＤストリーム）を再構成する方法は、上述した方法である必要はなく、その手段は問わない。
【００５１】
データ列再構成部１２４から出力される映像・音声データ列（ＡＶＣＨＤストリーム）は、第２の記録媒体１２５に記録される。
【００５２】
なお、本実施の形態１では、映像・音声データ列の例として、ＡＶＣＨＤストリームを用いたが、映像・音声データ列がＴＳパケットおよびタイムスタンプ情報から構成されるデータ列であればＡＶＣＨＤストリームである必要はなく、その種類は問わない。
【００５３】
また、本実施の形態１では、主情報パケットの例として、ＭＰＥＧ２−ＴＳパケットを用いたが、主情報パケットがＴＳパケットであればＭＰＥＧ２−ＴＳパケットである必要はなく、その種類は問わない。
【００５４】
また、本実施の形態１では、付加情報の例としてＡＴＣヘッダを用いたが、タイムスタンプ情報を含むものであればＡＴＣヘッダである必要はなく、その種類は問わない。
【００５５】
上述した手法により、ＡＶＣＨＤ等の映像コンテンツデータをＤＶＢ−ＡＳＩ等のＩ／Ｆを経由して従来よりも高速に伝送を行うことが可能となる。
【００５６】
（実施の形態２）
実施の形態１では、送信装置１０１において、第１の記録媒体１１１にあらかじめ存在している映像・音声データ列（ＡＶＣＨＤストリーム）を受信装置１０２に伝送する方法について説明したが、実施の形態２では、送信装置１０１において、動的に入力される映像・音声データ列を受信装置１０２に伝送する方法について説明する。
【００５７】
図５は本実施の形態２に係る伝送システムの構成を示すブロック図である。
【００５８】
なお、本実施の形態２に係る伝送システムの構成において、実施の形態１と同じ構成要素については、同じ番号を付与し、説明を省略する。
【００５９】
入力部５０１は、映像・音声情報が入力される。エンコード部５０２は、入力部５０１からの映像・音声情報について、エンコード処理を行う。
【００６０】
入力部５０１で入力された映像・音声情報はエンコード部５０２でエンコード処理が行われ、映像・音声データ列（ＡＶＣＨＤストリーム）を生成し、第１の記録媒体１１１に記録される。この時、入力部５０１で入力する映像・音声情報は非圧縮データであってよく、または圧縮済のストリームデータであってもよい。もし入力部５０１から入力する映像・音声情報がＡＶＣＨＤストリームであった場合、入力した映像・音声情報はエンコード部５０２でエンコードされることなく、第１の記録媒体１１１に直接記録されてもよい。また、入力部５０１はカメラの撮像素子であってもよく、またはＨＤ−ＳＤＩ、ＩＥＥＥ１３９４、ＤＶＢ−ＡＳＩ等の外部からのライン入力であってもよく、その種類は問わない。
【００６１】
エンコード部５０２でエンコードして出力する映像・音声データ列（ＡＶＣＨＤストリーム）は第１の記録媒体１１１に記録されるが、この時、記録と同時にエンコード部５０２で出力する映像・音声データ列（ＡＶＣＨＤストリーム）は付加情報分離部１１２に入力される。以降は実施の形態１と同様に受信装置１０２へデータ伝送を行う。この時、データ伝送を行う上で、送信装置１０１の各種動作および受信装置１０２の各種動作は実施の形態１と同じでよいが、入力部５０１から入力される映像・音声情報が１倍速相当である場合、受信装置１０２への伝送速度も１倍速相当となる。つまり、送信部１１４から電波伝送路１１０２に出力するパケットは実施の形態１のようなべストエフォート出力とならず、出力すべきパケットが送信部１１４に入力された時のみ電波伝送路１１０２に出力する。
【００６２】
上述する手法により、第１の記録媒体１１１にあらかじめ映像・音声データ列（ＡＶＣＨＤストリーム）が記録されていない場合でも、送信装置１０１に動的に入力される映像・音声情報は、ＭＰＥＧ２−ＴＳパケット化され受信装置１０２に伝送されることが可能となる。
【００６３】
（実施の形態３）
実施の形態２では、送信装置１０１に動的に入力される映像・音声情報を、ＭＰＥG２−ＴＳパケット化して受信装置１０２に伝送する方法、すなわち第１の記録媒体（１１１）への記録処理と受信装置１０２への伝送処理を同時に行う方法を説明した。
【００６４】
実施の形態３では、第１の記録媒体１１１への記録処理の開始タイミングと、受信装置１０２への伝送処理の開始タイミングが異なるような場合の動作について説明する。
【００６５】
なお、本実施の形態３に係る伝送システムの構成は、実施の形態２と同じであり、説明を省略する。
【００６６】
図６は、送信装置１０１のエンコード部５０２、第１の記録媒体１１１、および付加情報分離部１１２の各ブロックにおける映像・音声データ列（ＡＶＣＨＤストリーム）の入出力の関係図である。ここで、映像・音声データ列（ＡＶＣＨＤストリーム）のデータの流れは３つ存在し、１つ目はエンコード部５０２から第１の記録媒体１１１への流れ（経路その１）、２つ目はエンコード部５０２から付加情報分離部１１２への流れ（経路その２）、３つ目は第１の記録媒体１１１から付加情報分離部１１２への流れ（経路その３）である。
【００６７】
エンコード部５０２がデータ入力を開始する時、第１の記録媒体１１１への記録および受信装置１０２への伝送を同時に開始する場合は、図７の（１）に示すように、映像・音声データ列（ＡＶＣＨＤストリーム）は経路その１および経路その２の流れで、それぞれ記録処理および伝送処理を行う。すなわち、第１の記録媒体１１１への記録処理で用いる映像・音声データ列（ＡＶＣＨＤストリーム）、および付加情報分離部１１２への伝送処理で用いる映像・音声データ列（ＡＶＣＨＤストリーム）は、共にエンコード部５０２が出力した映像・音声データ列（ＡＶＣＨＤストリーム）となる。なお、図７の映像・音声データ列に対して「１」〜「１２」の連番を記載しているが、これはパケット番号やビデオフレーム番号を示すものではなく、互いのストリームの相対位置を明示的にするために単に連番を記載したものである。
【００６８】
一方、受信装置１０２への伝送開始のタイミングが、第１の記録媒体１１１への記録開始のタイミングよりも遅いような場合は、図７の（２）に示すように、映像・音声データ列（ＡＶＣＨＤストリーム）の流れは、経路その１、経路その２、および経路その３の流れを用いることになる。すなわち、第１の記録媒体１１１への記録処理で用いる映像・音声データ列（ＡＶＣＨＤストリーム）は、常にエンコード部５０２が出力した映像・音声データ列（ＡＶＣＨＤストリーム）となり、付加情報分離部１１２への伝送処理で用いる映像・音声データ列（ＡＶＣＨＤストリーム）は、伝送の初期（伝送処理が記録処理に追いつくまでの期間）および伝送の後期（伝送処理が記録処理に追いついた以降の期間）で、入力元となる映像・音声データ列（ＡＶＣＨＤストリーム）が異なる。
【００６９】
伝送の初期（伝送処理が記録処理に追いつくまでの期間）には、第１の記録媒体１１１に既に記録済の映像・音声データ列（ＡＶＣＨＤストリーム）の記録開始時点からのデータが読み出され、付加情報分離部１１２に入力される。この時、伝送経路の伝送帯域および第１の記録媒体１１１の読み込み性能が許す限り、ベストエフォートで読み出し処理が行われる。つまり、伝送の初期（伝送処理が記録処理に追いつくまでの期間）での受信装置１０２への伝送は、伝送速度が１倍速以上となる。
【００７０】
一方、伝送の後期（伝送処理が記録処理に追いついた以降）では、エンコード部５０２が出力する映像・音声データ列（ＡＶＣＨＤストリーム）は付加情報分離部１１２に入力されるようにして、以降は１倍速の伝送となるように、実施の形態２で示した制御が行われる。
【００７１】
上述した手法により、記録処理の途中から伝送処理を開始するような場合でも、受信装置１０２への伝送処理を効率よく行うことが可能となる。
【００７２】
（実施の形態４）
これまでの実施の形態では、送信装置１０１から電波伝送路１１０２へＴＳパケットを送出する際、送信部１１４に供給されるＴＳパケットが存在すれば、ＤＶＢ−ＡＳＩ伝送路１１０１または電波伝送路１１０２の帯域が許す限りベストエフォートで伝送されるような制御を行ったが、実施の形態４では、ベストエフォートでの伝送を行わず、あらかじめ設定した伝送速度で伝送を行うように制御する。
【００７３】
なお、本実施の形態４に係る伝送システムの構成は、実施の形態１と同じであり、説明を省略する。
【００７４】
まず、送信装置１０１に対して伝送速度を設定する際、１倍速、２倍速、４倍速等の倍速で指定する場合について説明する。
【００７５】
例えば、送信装置１０１に対して１倍速、すなわち等倍速が設定された場合、送信部１１４は、ＡＴＣヘッダ内に格納されているＡＴＳ値のクロックに沿ったタイミングでＴＳパケットを出力するように制御する。
【００７６】
ＴＳパケットの伝送においては、実施の形態１に示したように、最初に付加情報パケットを伝送し、続いて複数の主情報パケット（ＭＰＥＧ２−ＴＳパケット）の伝送を行うという基本制御は同じである（図４）。ただし、本実施の形態４においては、各パケットの伝送間隔を調整するような制御を行う。
【００７７】
図８に示すように、送信部１１４は、伝送開始時には、まず付加情報パケットを伝送し、その直後に主情報パケット（ＭＰＥＧ２−ＴＳパケット）を１パケットのみ伝送を行う。以降の主情報パケット（ＭＰＥＧ２−ＴＳパケット）においては、該当するＡＴＳ値を参照し、各主情報パケット（ＭＰＥG２−ＴＳパケット）の伝送間隔がＡＴＳ値の差と等価になるようなタイミングで伝送される。すなわち、先頭の主情報パケット（ＭＰＥＧ２−ＴＳパケット）の伝送を行った後、２番目の主情報パケット（ＭＰＥＧ２−ＴＳパケット）を伝送するタイミングは、先頭の主情報パケット（ＭＰＥＧ２−ＴＳパケット）のＡＴＳ値と２番目の主情報パケット（ＭＰＥＧ２−ＴＳパケット）のＡＴＳ値との差分クロック時間経過後に伝送するようにする。この時、何も伝送しない区間においてはＫ２８．５（ＮＵＬＬ）を伝送するようにする。次の付加情報パケット（２回目以降の付加情報パケット）は、直前に伝送した主情報パケット（ＭＰＥＧ２−ＴＳパケット）の直後に伝送するようにし、以降の主情報パケットは、同様にＡＴＳ値に応じたタイミングで伝送を行う。
【００７８】
前述したように、ＡＴＳ値は、ＭＰＥＧ２−ＴＳパケットを復号（再生）する際にデコーダに入力するべきタイミングを明示するタイムスタンプであるため、上述する制御により、１倍速での伝送が可能となる。
【００７９】
送信装置１０１に対して１倍速以外の速度を設定した場合には、その速度に応じてＡＴＳ値から算出する伝送タイミングを変更すればよい。
【００８０】
例えば２倍速を設定した場合、主情報パケット（ＭＰＥＧ２−ＴＳパケット）を伝送するタイミングは、ＡＴＳ値の差分を１／２にしたタイミングで伝送するようにすればよく、４倍速の時は、ＡＴＳ値の差分を１／４にしたタイミングとすればよい。
【００８１】
なお、ある主情報パケット（ＭＰＥＧ２−ＴＳパケット）を伝送しようとする時、ＡＴＳ値の差分から算出した該当パケットの伝送タイミングが既に過ぎている場合は、すぐに該当パケットの伝送を行なうようにし、その遅延を蓄積させることのないようにして次の主情報パケット（ＭＰＥＧ２−ＴＳパケット）を伝送するようにする。この処理により、ＤＶＢ−ＡＳＩ伝送路１１０１または電波伝送路１１０２の帯域範囲内の伝送速度を設定していれば、一時的な伝送アンダーフローが発生してもすぐに挽回することが可能となる。もし、ＤＶＢ−ＡＳＩ伝送路１１０１または電波伝送路１１０２の帯域範囲を超える伝送速度を設定していた場合は、ベストエフォートに近い状況で伝送を行うことになり、その場合は設定した伝送速度を満たせなくなることもある。
【００８２】
次に、送信装置１０１に設定する伝送速度が１倍速、２倍速のような倍速ではなく、２０Ｍｂｐｓ、４０Ｍｂｐｓのように、ビットレートで指定する場合について説明する。
【００８３】
ＡＶＣＨＤ規格によれば、あるＡＶＣＨＤストリームが存在した時に、そのストリームの最大ビットレートを管理情報ファイル等に記載する必要があるが、実際のビットレート（平均ビットレート）は記載する必要はない。すなわち、一般的には、ＡＶＣＨＤストリームの実際のビットレート（平均ビットレート）を知る手段が存在しない。
【００８４】
よって、送信装置１０１に対して伝送速度をビットレートで指定する場合は、ＡＴＳ値の差分から計算して主情報パケット（ＭＰＥＧ２−ＴＳパケット）の伝送タイミングを決めることはできない。そこで、このような場合は、図９に示すように、伝送を開始してからの経過時間と、伝送を完了した主情報パケット（ＭＰＥＧ２−ＴＳパケット）および付加情報パケットのデータ総量を比べて、指定したビットレートになるように制御する。
【００８５】
送信部１１４は、伝送開始時には、まず付加情報パケットを伝送し、その直後に主情報パケット（ＭＰＥＧ２−ＴＳパケット）を１パケットのみ伝送を行う。以降の各主情報パケット（ＭＰＥＧ２−ＴＳパケット）においては、送信装置１０１に設定したビットレートに準じたタイミングで伝送が行われる。この時、以降の付加情報パケットにおいても同様であり、ビットレートに準じたタイミングでの伝送が行われる。
【００８６】
この時、ＡＶＣＨＤストリームのデータ量（ＡＴＣヘッダとＭＰＥＧ２−ＴＳパケットの合計）と伝送路を流れるデータ量（主情報パケット（ＭＰＥＧ２−ＴＳパケット）と付加情報パケットの合計）とでは、付加情報パケットにおけるＴＳヘッダおよび付加領域（ＡＴＣヘッダの個数を格納する領域等）の差分が生じるが、その差分データ量は全データ量に対して十分小さくなるため、無視できることが多い。ただし、このデータ量の差分が大きくなるような場合、または小さな差分も考慮したい場合は、その差分を考慮した上で伝送タイミングを決定するようにすればよい。
【００８７】
また、可能な限り高速に伝送を行う場合は、送信装置１０１に、ベストエフォートで伝送を行う設定をしておき、その時は実施の形態１の要領でベストエフォート伝送を行えばよい。
【００８８】
なお、送信装置１０１における伝送速度の設定方法は機器仕様に応じて任意でよい。
【００８９】
上述するような動作により、任意の伝送速度でのストリーム伝送が可能となる。
【００９０】
（実施の形態５）
これまでの実施の形態では、受信装置１０２で受信したデータを第２の記録媒体１２５に記録したが、実施の形態５では、第２の記録媒体１２５への記録処理と同時にモニタに出力する処理を行う。
【００９１】
図１０は本実施の形態５に係る伝送システムの構成を示すブロック図である。
【００９２】
なお、本実施の形態５に係る伝送システムの構成において、実施の形態２と同じ構成要素については、同じ番号を付与し、説明を省略する。
【００９３】
デコード部１００１は、パケット分離部１２２から主情報パケットが入力される。モニタ１００２は、デコード部１００１でデコード処理された映像情報が表示される。
【００９４】
パケット分離部１２２から出力される主情報パケット（ＭＰＥＧ２−ＴＳパケット）はデータ列再構成部１２４に入力されると同時に、デコード部１００１にも入力される。デコード部１００１では、入力した主情報パケット（ＭＰＥＧ２−ＴＳパケット）のデコード処理を行い、モニタ１００２に出力する。
【００９５】
この時、伝送されてきたストリームデータが１倍速の場合、デコード部１００１ではデコード処理として通常再生処理を行い、モニタ１００２に出力する。この時のデコード部１００１の通常再生処理の方法は機器仕様に応じて任意でよい。
【００９６】
一方、伝送されてきたストリームデータの伝送速度が１倍速以上だった場合、デコード部１００１でのデコード処理が伝送レートに対して間に合わない場合には、例えばＩフレーム（Ｉｎｔｒａフレーム）のみをデコードして出力するような制御を行い、モニタ１００２での出力もＩフレームのみとなるように制御する（Ｉフレームに関しては、ＭＰＥＧ系のビデオ圧縮の規格書（ＩＳＯー／ＩＥＣ１３８１８−２）を参照）。
【００９７】
例えば、伝送したＡＶＣＨＤストリームのＩフレームの周期が１５フレーム、すなわち、１５フレームに１個の割合でＩフレームが存在する構成（１秒間（３０フレーム）に２個のＩフレームが存在）である場合、伝送速度が４倍速の時には1秒間に８フレームの割合で映像フレームが更新されてモニタ１００２に出力されることになる。この時、モニタ１００２に出力される映像データは完全なものではないが、第２の記録媒体１２５には完全なストリームとして記録されているため、伝送システムとしての実運用では問題とならない場合が多い。なぜなら、モニタ１００２への映像出力は、あくまで伝送状況の確認をするためのものだからである。
【００９８】
なお、デコード部１００１のデコード処理においては上述するような手法でなくともよく、オーバーフロー／アンダーフローを発生させることなく処理できるのであれば任意の制御方法を用いてよい。
【００９９】
上述するような手法により、データ伝送中に受信装置１０２側にて伝送位置をモニタリングすることが可能となり、伝送データの内容や伝送位置等の情報が視覚的に把握し易くなる。
【産業上の利用可能性】
【０１００】
本発明による伝送システムは、放送局システムにおいて、ＡＶＣＨＤ等の映像・音声コンテンツを、ＤＶＢ−ＡＳＩ等のＩ／Ｆを経由して遠隔地に高速伝送する時に用いられる。
【符号の説明】
【０１０１】
１０１  送信装置
１０２  受信装置
１１１  第１の記録媒体
１１２  付加情報分離部
１１３  付加情報パケット化部
１１４  送信部
１２１  受信部
１２２  パケット分離部
１２３  付加情報抽出部
１２４  データ列再構成部
１２５  第２の記録媒体
５０１  入力部
５０２  エンコード部
１００１  デコード部
１００２  モニタ
１１０１  ＤＶＢ−ＡＳＩ伝送路
１１０２  電波伝送路
１２０１  ＤＶＢ−ＡＳＩ伝送路
【図１】
2011035578.tif 000003
【図２】
2011035578.tif 000004
【図３】
2011035578.tif 000005
【図４】
2011035578.tif 000006
【図５】
2011035578.tif 000007
【図６】
2011035578.tif 000008
【図７】
2011035578.tif 000009
【図８】
2011035578.tif 000010
【図９】
2011035578.tif 000011
【図１０】
2011035578.tif 000012
【図１１】
2011035578.tif 000013
【図１２】
2011035578.tif 000014